(57)【要約】【課題】  良好な竹の風合いを持ちながら、意外性のある装飾効果が得られ、しかも模造品的な安っぽい印象を与えることなく変化に富んだ装飾形態をとることができる竹状装飾品を提供する。【解決手段】  透明または半透明の合成樹脂筒状成形品であって、中心軸方向に間隔をあけて、外周面を一周する突条１が形成されており、この突条１の形成領域付近の外周面と内周面がそれぞれ外側と内側に膨出した厚肉部２となっている竹状装飾品とする。【選択図】      図１
2005186362.tif 000002
【特許請求の範囲】
【請求項１】
合成樹脂により形成された透明な円筒形または疑似円筒形成形品であって、中心軸方向に間隔をあけて、外周面を一周する突条が形成されており、この突条の形成領域付近の外周面と内周面のいずれか一方または両方が膨出した厚肉部となっていることを特徴とする竹状装飾品。
【請求項２】
合成樹脂により形成された半透明の円筒形または疑似円筒形成形品であって、中心軸方向に間隔をあけて、外周面を一周する突条が形成されており、この突条の形成領域付近の外周面と内周面のいずれか一方または両方が膨出した厚肉部となっていることを特徴とする竹状装飾品。
【請求項３】
外周面に粗面化加工が施されていることを特徴とする請求項２に記載の竹状装飾品。
【請求項４】
着色された合成樹脂により形成されていることを特徴とする請求項１〜３のいずれか１項に記載の竹状装飾品。
【請求項５】
外周面と内周面のいずれか一方または両者に、中心軸方向に延びる筋が多数形成されていることを特徴とする請求項１〜４のいずれか１項に記載の竹状装飾品。
【請求項６】
突条が蛇行していることを特徴とする請求項１〜５のいずれか１項に記載の竹状装飾品。
【請求項７】
断面内に多数の気泡を有することを特徴とする請求項１〜６のいずれか１項に記載の竹状装飾品。
【請求項８】
一端部または両端部の内側に光源が設けられていることを特徴とする請求項１〜７のいずれか１項に記載の竹状装飾品。
【発明の詳細な説明】
【技術分野】
【０００１】
本発明は、主に室内装飾に用いられる合成樹脂製の竹状の装飾品に関する。
【背景技術】
【０００２】
従来、硬質合成樹脂を管状に押し出した内層の外周面に、軟質合成樹脂の外層を押し出して被覆すると共に、外層を部分的に外方に隆起させることで節部を形成した合成樹脂製の模擬竹が知られている（例えば、特許文献１参照）。
【０００３】
【特許文献１】特開２００１−２１２８６４
【発明の開示】
【発明が解決しようとする課題】
【０００４】
しかしながら、従来の模擬竹は、不透明であることはもちろんのこと、天然竹に近似した着色などによって合成樹脂製であることを覆い隠し、もっぱら天然竹に近い外観を得ようとするものであることから、意外性のある装飾効果は得られず、変化のある装飾形態もとりにくい。このため、利用範囲が限られてしまう問題がある。また、竹の最大の特徴は節部にあり、この節部の質感が竹の風合いを出す上で重要な要素となるが、従来の模擬竹の節部は単なる突条でしかなく、節部の硬い質感に欠けることから、模造品的な安っぽい印象を受けやすい問題もある。
【０００５】
本発明は、上記従来の模擬竹の問題点に鑑みてなされたもので、良好な竹の風合いを持ちながら、意外性のある装飾効果が得られ、しかも模造品的な安っぽい印象を与えることなく変化に富んだ装飾形態をとることができる竹状装飾品を提供することを目的とする。
【課題を解決するための手段】
【０００６】
上記目的のために、本発明の第１は、合成樹脂により形成された透明な円筒形または疑似円筒形成形品であって、中心軸方向に間隔をあけて、外周面を一周する突条が形成されており、この突条の形成領域付近の外周面と内周面のいずれか一方または両方が膨出した厚肉部となっていることを特徴とする竹状装飾品を提供するもので、本発明の第２は、合成樹脂により形成された半透明の円筒形または疑似円筒形成形品であって、中心軸方向に間隔をあけて、外周面を一周する突条が形成されており、この突条の形成領域付近の外周面と内周面のいずれか一方または両方が膨出した厚肉部となっていることを特徴とする竹状装飾品を提供するものである。
【０００７】
上記本発明の第２は、外周面に粗面化加工が施されていることをその好ましい態様として含み、上記本発明の第１及び第２は、着色された合成樹脂により形成されていること、外周面と内周面のいずれか一方または両者に、中心軸方向に延びる筋が多数形成されていること、突条が蛇行していること、断面内に多数の気泡を有すること、一端部または両端部の内側に光源が設けられていること、をその好ましい態様としてそれぞれ含むものである。
【発明の効果】
【０００８】
本発明の竹状装飾品は、節部を形成する突条付近が厚肉部となっており、しかも透明または半透明であるので、透けて見える状態が突条付近の厚肉部とその他の部分とで異なるものとなる。そして、節部を構成する突条周りの質感が、視覚的にその他の部分より硬い質感となるので、天然の竹とは全く異なって透明または半透明であるにも拘わらず竹様の良好な風合いを有するという、意外性のある装飾効果が得られる。また、透明または半透明であって、もともと天然の竹とは全く異なるものであることから、模造品的な安っぽい印象を与えることがないばかりか、内部からのライトアップなどの変化のある利用形態をとることができるものである。
【発明を実施するための最良の形態】
【０００９】
図１〜図３に基づいて本発明に係る竹状装飾品の一例を説明する。
【００１０】
図１は本発明に係る竹状装飾品の一例を示す斜視図、図２は突条付近の拡大斜視図、図３は筋を省略した突条付近の断面図である。
【００１１】
図示されるように、本例に係る竹状装飾品は、円筒形または疑似円筒形の成形品で、単層の透明な合成樹脂によって形成されている。疑似円筒形とは、径方向に歪みのある円筒形を言う。
【００１２】
竹状装飾品を構成する合成樹脂としては、押出成形や射出成形に用いられる透明な熱可塑性樹脂を広く使用することができる。具体的には、例えばポリカーボネイト、ポリ塩化ビニル、ポリプロピレン、ポリエチレンテレフタレート、ポリメチルメタクリレートなどを用いることができる。また、静電気による汚れ付着を抑制するために、帯電防止剤を配合したものであることが好ましい。
【００１３】
竹状装飾品を構成する合成樹脂は、無色透明であってもよいが、着色しておくことで、有色透明の竹状装飾品とすることもできる。例えば、緑色に薄く着色した合成樹脂製とすることで、青竹様の風合いを出すことができる。また、天然の竹とは全く異なる色、例えば赤色、紫色などに着色した合成樹脂を用いた竹状装飾品とすることで変化を付けることもできる。無色透明の合成樹脂を用いるか、有色透明の合成樹脂を用いるか、さらにはどのような色とするかは、得ようとする雰囲気などに応じて選択することができる。
【００１４】
竹状装飾品は、上記無色透明または有色透明の合成樹脂で成形しただけの透明な成形品であってもよいが、半透明の成形品とすることもできる。この半透明の竹状装飾品は、上記無色透明または有色透明の合成樹脂で成形した後、外周面に粗面化加工を施すことで得ることができる。粗面化加工は、例えばサンドブラスト加工で行うことができる。
【００１５】
竹状装飾品には、図示されるように、中心軸方向に適宜の間隔をあけて、外周面を一周する環状の突条１が設けられている。この突条１は、竹の節部を形成するもので、例えば断面かまぼこ型などでもよいが、図３に示されるように、上下縁が中間部に比して外方に突出した凹字形断面とすると、天然竹の節部に近付けることができるので好ましい。突条１の突出高さは、竹状装飾品の直径にもよるが、０．５〜３ｍｍ、幅は１〜３ｍｍ程度とすることが好ましい。突条１の間隔も、竹状装飾品の直径にと同程度の直径の天然竹における節部間の間隔に模して定めることが好ましい。
【００１６】
図示される突条１は、周方向に真っ直ぐに形成されているが、直径が５〜１５ｃｍ程度の孟宗竹様の太い竹状装飾品の場合、中心軸方向に蛇行したものとすると、より天然竹様の風合いが得られるので好ましい。
【００１７】
特に図３に示されるように、突条１の形成領域付近の外周面と内周面のいずれか一方、好ましくは両方が膨出した厚肉部２となっている。竹状装飾品は、透明または半透明であるので、透視性を有するが、突条１付近の厚肉部２とその他の部分とでは、厚さの違いから、透けて見える状態が異なるものとなる。そして、節部を構成する突条１周りの視覚的質感が、その他の部分とは異なる硬い質感となることから、良好な竹様の風合いが視覚的にもたらされる。
【００１８】
厚肉部２における外周面および／または内周面の膨出は、透けて見える状態が異なるものとなる境界線がぼやけたものとなるよう、それぞれ中心軸方向になだらかな山形に膨出していることが好ましく、突条１はこの上記厚肉部２上に位置していることが好ましい。厚肉部２の最大厚さは、その他の領域における厚さの１．２〜２倍程度であることが好まししい。厚肉部２の幅は、突条１間の間隔に応じて定めることが好ましく、突条１間の間隔の１／５〜１／１５程度であることが好ましい。具体的には１〜１０ｃｍ程度であることが好ましい。
【００１９】
上記厚肉部２と突条１は、合成樹脂を円筒形または疑似円筒形に押出成形する過程で、適宜の間隔で軸方向に圧縮力を作用させ、部分的に圧縮することで内周面と外周面を膨出させると共に、外周面の膨出に伴って突条１を形成する金型に押し当てることで形成することができる。
【００２０】
竹状装飾品の内周面と外周面のいずれか一方または両者に、中心軸方向に延びる筋３が多数形成されていることが好ましい。この筋３を設けることによって、より強く竹の風合いを出すことができる。
【００２１】
筋３は、内周面と外周面のいずれか一方でもよいが、特に孟宗竹様の太い竹状装飾品とする場合、両者に設けると、本竹状装飾品が透明または半透明であることから、外周面側の筋３だけでなく、内周面側の筋３が透けて見えることで、厚肉感や立体感が得られ、重厚感が増すので好ましい。また、後述する他の例のように、竹状装飾品の内側に光源を設け、内部から光を照射する場合、内周面に設けた筋３部分が他の箇所に比して明るく光ることから、竹様の風合いを高めることができる。特に外周面に粗面化加工を施した半透明品の場合、筋３の存在が適度にぼやかされ、質感が向上するので好ましい。筋３は、周方向に２〜１０ｍｍ程度の不規則な間隔で多数設けることが好ましい。
【００２２】
図示される竹状装飾品は、中実の成形品となっているが、透明または半透明状態を維持できる範囲で気泡を内包させた成形品とすることもできる。気泡を内包させることで外観に変化を付けることができる。また、竹状装飾品の内側に光源を設け、内部から光を照射する場合に、気泡の存在によって光の透過状態に変化を付けることができ、装飾効果を高めることができる。
【００２３】
次に、図４に基づいて本発明の他の例を説明する。
【００２４】
図４は本発明に係る竹状装飾品の他の例を示す斜視図である。
【００２５】
本例の竹状装飾品は、上端と下端からそれぞれ光源４が差し込まれて取り付けられており、内部から光を照射できるようになっている。このようにすると、特に内側にも膨出している厚肉部２の部分が他の部分より明るくひかり、突条１で構成された節部が強調されて、変化のある装飾状態を得ることができる。
【００２６】
光源４としては、白熱灯や蛍光灯の他、発光ダイオードなどを用いることができ、色も雰囲気に合わせて自由に選択することができる。また、本例では上下両端から差し込んで内蔵させたものとなっているが、上下一方のみでもよく、さらには光源４を直列させた電気配線を竹状装飾品内部に通し、中心軸方向に適宜の間隔をあけて多数の光源４を内蔵させることもできる。
【図面の簡単な説明】
【００２７】
【図１】図１は本発明に係る竹状装飾品の一例を示す斜視図である。
【図２】突条付近の拡大斜視図である。
【図３】筋を省略した突条付近の断面図である。
【図４】本発明に係る竹状装飾品の他の例を示す斜視図である。
【符号の説明】
【００２８】
１  突条
２  厚肉部
３  筋
４  光源
【図１】
2005186362.tif 000003
【図２】
2005186362.tif 000004
【図３】
2005186362.tif 000005
【図４】
2005186362.tif 000006